【事件の表示】
　平成　４年特許願第１４２１４０号「化粧料用容器」拒絶査定に対する審判事件［平成　５年１１月２２日出願公開、特開平　５−３０９０１６］について、次のとおり審決する。
【結　論】
　本件審判の請求は、成り立たない。
【理　由】
１．手続の経緯
　本願は、平成４年５月７日の出願であって、平成１２年１１月２８日付けで拒絶査定がなされ、これに対し、同年１２月２８日に拒絶査定不服の審判請求がなされたものであり、その請求項１乃至３に係る発明は、明細書及び図面の記載からみて、その特許請求の範囲の請求項１乃至３に記載されたとおりのものと認められるところ、そのうちの請求項１に係る発明（以下、「本願発明」という。）は次のとおりのものと認める。
（本願発明）
「化粧料２を収納する収容空間３を形成した基体４と、この基体４の上部開口を施蓋する蓋体５とからなる容器本体６を有する化粧料用容器であって、前記基体４は遠赤外線放射物質であるセラミックス粉末と、総合ミネラルである医王石粉末との各材を混合して加工を施した樹脂製又はガラス製等からなり、且つ、該基体４は遠赤外線放射物質であるセラミックス粉末の作用による遠赤外線と、総合ミネラルである医王石粉末の作用によるミネラルとを前記収容空間３に向けて放射、発生する機能を具備しているとともに、前記容器本体６の収容空間３に対し磁界を作用させる状態に取り付けた磁界発生手段を具備したことを特徴とする化粧料用容器。」
 
２．引用文献
　これに対して、原査定の拒絶の理由に引用された、特開平３−１７６３８１号公報（以下、「引用文献１」という。）には、以下の事項が図面とともに記載されている。
ａ．「化粧料用等の収容空間を有するとともに該収容空間に対し遠赤外線を放射する機能を具備した容器本体と、この容器本体の前記収容空間に対し磁界を作用させる状態に取り付けた磁界発生手段とを有することを特徴とする化粧料用容器」［公報第１頁の特許請求の範囲の（１）］
ｂ．「第１図は本実施例の化粧料用容器１を示すものである。この化粧料容器１は、樽状で内部に化粧料２用の収容空間３を形成した基体４と、この基体４の上部開口を施蓋する蓋体５とからなる容器本体６を有している。」［公報第２頁右下欄第６〜１１行］
ｃ．「前記基体４は、遠赤外線加工を施したセラミックス製で、第１図に示すようにこの基体４の壁部から収容空間３に向けて第１図に矢印で示す遠赤外線を放射するようになっている。」［公報第２頁右下欄第１２〜１５行］
ｄ．「前記容器本体６は、磁界発生手段を具備している。この磁界発生手段は、基体４の内底部４ａに配置した第１の永久磁石７と、前記蓋体５に設けた凹部５ａに配置した第２の永久磁石８とから構成されている。前記第１、第２の永久磁石７、８は、第１図に点線で示すように収容空間３に向けて磁力線を出し収容空間３内を磁界の作用下におくようになっている。」［公報第２頁右下欄第１６行〜第３頁左上欄第３行］
ｅ．「前記構成の化粧料用容器１にイオン系化粧料１１を収納すると、容器本体６における基体４の壁部からの遠赤外線がイオン系化粧料１１に放射される。また、第１、第２の永久磁石７、８から出る磁力線もイオン系化粧料１１に作用し、このイオン系化粧料１１は磁界の作用下におかれる。これにより、イオン系化粧料１１を構成する分子が活性化され、この時、磁界がイオンに作用することをもって生じる起電力効果により、イオン系化粧料の構成分子の活性化が助長され、イオン系化粧料１１は長期間にわたって鮮度が維持され且つ腐敗が防止される。」［公報第３頁左上欄第１７行〜同頁右上欄第８行］
ｆ．「本発明は上述した実施例に限定されるものではなく、その要旨の範囲内で種々の変形実施が可能である。例えば、化粧料としては上述したイオン系化粧料の他、通常のクリーム等々を用いても良く、この場合にも前記遠赤外線等の作用でクリームをマイルドにしてその伸びを良くすることができる。また、容器本体６の他の用途としては、生花用の花器や植木鉢等を挙げることができ、この場合には生花や植木の鮮度維持を図ることができる。更に、食品の腐敗防止用の容器として用いることも可能である。」［公報第３頁右下欄第１２行〜第４頁左上欄第２行］
　以上のａ〜ｆの記載事項並びに対応する図面に示された記載内容を総合すると、上記引用文献１には、
「化粧料２を収納する収容空間３を形成した基体４と、この基体４の上部開口を施蓋する蓋体５とからなる容器本体６を有する化粧料用容器であって、前記基体４は、遠赤外線加工を施したセラミックス製で、前記収容空間３に向けて遠赤外線を放射する機能を具備しているとともに、前記容器本体６の収容空間３に対し磁界を作用させる状態に取り付けた磁界発生手段を具備したことを特徴とする化粧料用容器であって、化粧料用としての用途のみならず生花用の花器や植木鉢にも用いることができる容器。」の発明（以下、「引用発明」という。）が記載されている。
　
３．対比・判断
　そこで、本願発明と上記引用発明とを対比すると、両者は、「化粧料を収納する収容空間を形成した基体と、この基体の上部開口を施蓋する蓋体とからなる容器本体を有する化粧料用容器であって、前記基体は、遠赤外線を前記収容空間に向けて放射する機能を具備するとともに、前記収容空間に対し磁界を作用させる状態に取り付けた磁界発生手段を具備したことを特徴とする化粧料用容器。」である点で一致しており、以下の点で一応の相違がある。
［相違点１］本願発明において、基体４は、容器の収容空間に、遠赤外線の放射とともに、総合ミネラルである医王石粉末の作用によるミネラルを発生する機能をも具備しているのに対し、引用発明は、遠赤外線を前記収容空間に向けて放射する機能を具備するに止まり、ミネラルを発生する機能を具備していない点。
［相違点２］本願発明において、基体４は、「遠赤外線放射物質であるセラミックス粉末と、総合ミネラルである医王石粉末との各材を混合して加工を施した樹脂製又はガラス製等」からなり、遠赤外線の放射が、セラミックス粉末の作用によるものであるのに対し、引用発明においては、遠赤外線の放射が、「遠赤外線加工を施したセラミックス製」の基体によるものである点。
　そこで、上記の相違点について検討する。
［相違点１］について
　「医王石」が、特殊な変成岩からなる多元素鉱物であり、珪酸を主体としてカリウム、ナトリウム、カルシウム、アルミナの他、鉄、ニッケル、銅、マンガン、クロム、コバルト、バナジウムなどの多くの遷移金属を含んでおり、生体に必要なミネラル成分をバランス良く含むこと、さらに、該医王石の粉末を含有する合成樹脂成形品を包装資材として用いたとき、被包装物の腐敗防止や鮮度維持の効果があることや、農業用資材として用いたときには、植物の生育を促進する効果があることなどは、本願出願前広く知られていることといえる［必要なら、特開平３−２１０７号公報、特開昭６４−１３９２０号公報、実願昭６２−６１４４５号（実開昭６３−１６９４６５号）のマイクロフィルム等の記載参照］。
　そして、上記引用文献１には、引用発明の化粧料用容器の容器本体の他の用途として、生花用の花器や植木鉢等への使用が説示され、このような用途で使用する場合には生花や植木の鮮度維持を図ることができること、さらには、食品の腐敗防止用の容器としても用いることが可能であることが説示されている（上記「２．」の記載事項ｆ参照）。
　してみると、上記説示に従い、いいかえれば、生花用の花器、植木鉢や食品の腐敗防止用容器への使用等を加味して、引用発明の化粧料用容器の容器本体に、腐敗防止や鮮度保持の効果をより高める目的で、腐敗防止や鮮度維持に効果があることが従来より広く知られている医王石粉末の作用をも具備せしめるようにすることは、当業者が容易に想到し得た設計上の変更であるといえる。
　なお、相違点１における医王石粉末の作用としてのミネラルを発生する機能を備える点は、上記した設計上の変更を行うことにより得られた構成そのものが備える機能ということができる。
　
［相違点２］について
　遠赤外線を収容空間に向けて放射する機能を具備する容器として、遠赤外線放射性粒子、特に、セラミックス粒子を合成樹脂に混入することにより所望の形状に成型したものは、本願出願前に周知であるといえる［必要ならば特開平１−１０１８７４号公報参照］。
　してみると、引用発明における化粧料用容器の基体を、遠赤外線加工を施したセラミックス製のものに代えて、セラミックス粉末を混合して加工（成型）した樹脂製のものとすることは、当業者が容易に想到し得た設計的事項であるといえるし、その際に、上記「［相違点１］について」で述べた目的で採用することとした本願出願前周知の医王石の粉末をも合わせて混入することは、当業者が普通に配慮して採用する設計的事項であるといえる。
　そして、セラミックス粉末と医王石の粉末の両者を混合したことによる磁界発生手段と関連する効果につき、当業者が予測し得ない程度の相乗的効果、すなわち格別な効果を奏することを裏付けるに足りる証拠は示されていないので、該効果があると推認することもできないから、上記混合したことによる効果も、当業者が普通に予測し得た程度のものと解さざるを得ない。
　以上検討したことから、本願発明は、引用発明及び本願出願前周知の事項に基いて、当業者が容易に発明をすることができたものといわざるを得ない。
　
４．むすび
　したがって、本願発明は、上記引用発明及び本願出願前周知の事項に基いて、当業者が容易に発明をすることができたものと認められるから、特許法第２９条第２項の規定により特許を受けることができない。
　よって、結論のとおり審決する。